(57)【要約】【課題】  ストロボ光のケラレを効果的に防止することができ、かつ収納操作性に優れたポップアップストロボを提供する。【解決手段】カメラ本体上に、被写体に接近する進出位置と後退する後退位置との間を進退可能に支持されたスライド部材；該スライド部材に、カメラ本体に収納される収納位置と、該カメラ本体から突出する突出位置とに回動可能に支持された発光部ユニット；及び、スライド部材が進出位置にあるとき、突出位置から収納位置への発光部ユニットの回動に応じて該発光部ユニット及びスライド部材に対して後退位置方向への移動分力を与える収納ガイド機構；を備えたことを特徴とするポップアップストロボ。【選択図】  図２２
2005227386.tif 000002
【特許請求の範囲】
【請求項１】
カメラ本体上に、被写体に接近する進出位置と後退する後退位置との間を進退可能に支持されたスライド部材；
該スライド部材に、カメラ本体に収納される収納位置と、該カメラ本体から突出する突出位置とに回動可能に支持された発光部ユニット；及び
上記スライド部材が上記進出位置にあるとき、突出位置から収納位置への発光部ユニットの回動に応じて該発光部ユニット及びスライド部材に対して上記後退位置方向への移動分力を与える収納ガイド機構；
を備えたことを特徴とするポップアップストロボ。
【請求項２】
請求項１記載のポップアップストロボにおいて、上記収納ガイド機構は、
カメラ本体に設けた、発光部ユニットの回動軸と略平行な軸を中心に回動可能なローラ；及び
発光部ユニットに回動軸から偏心させて設けた、上記ローラに当接可能なローラ当接面；
を備えているポップアップストロボ。
【請求項３】
請求項２記載のポップアップストロボにおいて、上記ローラ当接面は少なくとも一部に曲面を含んでいるポップアップストロボ。
【請求項４】
請求項３記載のポップアップストロボにおいて、上記ローラ当接面は、発光部ユニットの回動軸を中心とする放射方向に連続する凹状の曲面と凸状の曲面からなるポップアップストロボ。
【請求項５】
請求項２ないし４のいずれか１項記載のポップアップストロボにおいて、上記発光部ユニットは、一端部が上記回動軸によりスライド部材に軸支され他端部に発光部を有する支持アームを有し、上記ローラ当接面は該支持アームの発光部側の端部近傍に設けられているポップアップストロボ。
【請求項６】
請求項５記載のポップアップストロボにおいて、上記ローラ当接面は発光部の両側に一対設けられ、カメラ本体は、該一対のローラ当接面に対応する一対の上記ローラを備えているポップアップストロボ。
【請求項７】
請求項１ないし６のいずれか１項記載のポップアップストロボにおいて、スライド部材を上記進出位置へ向け付勢するスライド部材付勢手段と、発光部ユニットを突出位置へ向け付勢する発光部付勢手段と、該スライド部材付勢手段及び発光部付勢手段に抗してスライド部材を後退位置に保持しかつ発光部ユニットを収納位置に保持する係止機構を備えているポップアップストロボ。
【発明の詳細な説明】
【技術分野】
【０００１】
本発明はカメラのポップアップストロボに関する。
【背景技術】
【０００２】
カメラにおいては一般的に、ストロボの発光部が撮影光軸に近すぎたり、光軸方向後方に位置しすぎたりすると、発光部の前方に位置する部位（レンズ鏡筒、レンズフード、コンバージョンレンズ）によるストロボ光のケラレが発生するおそれがある。例えば、カメラ本体に収納される位置と突出する位置とに発光部を移動させることが可能なポップアップタイプのストロボが各種のカメラに搭載されているが、この種のポップアップストロボは、サイズや配置スペースがカメラ本体による制約を受けやすい。逆にストロボの光学性能を優先すると、カメラの大型化を招いたりカメラデザインに影響を与えたりするおそれがある。
【０００３】
また、ポップアップストロボは一般的に突出方向へばね付勢されており、収納動作はばねに抗して手動で行うようになっている。この手動収納の操作性をできるだけ良くしたいという要求がある。
【発明の開示】
【発明が解決しようとする課題】
【０００４】
本発明は、ストロボ光のケラレを効果的に防止することができ、かつ収納時の操作性に優れたポップアップストロボを提供することを目的とする。
【課題を解決するための手段】
【０００５】
本発明のポップアップストロボは、カメラ本体上に、被写体に接近する進出位置と後退する後退位置との間を進退可能に支持されたスライド部材；該スライド部材に、カメラ本体に収納される収納位置と、該カメラ本体から突出する突出位置とに回動可能に支持された発光部ユニット；及び、スライド部材が進出位置にあるとき、突出位置から収納位置への発光部ユニットの回動に応じて該発光部ユニット及びスライド部材に対して後退位置方向への移動分力を与える収納ガイド機構；を備えたことを特徴としている。
【０００６】
収納ガイド機構は、発光部ユニットの回動軸と略平行な軸を中心に回動可能なようにカメラ本体に設けたローラと、発光部ユニットに回動軸から偏心させて設けたローラ当接面とによって構成することができる。
【０００７】
ローラ当接面は少なくとも一部に曲面を含んでいることが好ましい。具体的には、ローラ当接面は、発光部ユニットの回動軸を中心とする放射方向に連続する凹状の曲面と凸状の曲面により構成するとよい。
【０００８】
また、発光部ユニットは、一端部がスライド部材に軸支され他端部に発光部を有する支持アームを有し、ローラ当接面は該支持アームの発光部側の端部近傍に設けられていることが好ましい。
【０００９】
ローラ当接面とローラは、発光部の両側に対応させて一対設けてもよい。
【００１０】
本発明のポップアップストロボはさらに、スライド部材を進出位置へ向け付勢するスライド部材付勢手段と、発光部ユニットを突出位置へ向け付勢する発光部付勢手段と、該スライド部材付勢手段及び発光部付勢手段に抗してスライド部材を後退位置に保持しかつ発光部ユニットを収納位置に保持する係止機構を備えていることが好ましい。
【発明の効果】
【００１１】
以上の本発明によれば、ストロボ光のケラレを効果的に防止することができ、かつ収納時の操作性に優れたポップアップストロボを得ることができる。
【発明を実施するための最良の形態】
【００１２】
以下、図示実施形態に基づき本発明を説明する。デジタルカメラ１０は、撮影光学系を内蔵したカメラ本体部１１を有している。カメラ本体部１１は撮影光学系の光軸Ｏに沿う方向に長い箱型（四角筒）形状をなし、その外面は、光軸Ｏと略直交するボディ前端面１１ａとボディ後端面１１ｂ、このボディ前端面１１ａとボディ後端面１１ｂを接続して光軸Ｏを囲むボディ上面１１ｃ、ボディ下面１１ｄ、ボディ右側面１１ｅ、ボディ左側面１１ｆとにより構成されている。なお本実施形態では、図３、図１１及び図１２の天地方向をデジタルカメラ１０における上下方向、同じく水平方向を左右方向とする。より詳細には、デジタルカメラ１０に対してボディ後端面１１ｂ側に視点位置をとったとき（図３の状態）での右手方向を右、同左手方向を左と定義する。また、光軸Ｏと平行な方向（以下、光軸方向とする）をデジタルカメラ１０における前後方向とし、ボディ前端面１１ａ側を前方、ボディ後端面１１ｂ側を後方と定義する。
【００１３】
カメラ本体部１１のボディ前端面１１ａには、撮影光学系のうち最も被写体側に位置する前玉レンズＬＦが露出している。前玉レンズＬＦは単レンズでもレンズ群でもよい。前玉レンズＬＦの周囲は、フィルタなどのアクセサリを取り付けることが可能なフィルタねじ１２が設けられている。撮影光学系はズームレンズ系であり、図示しないが前玉レンズＬＦ以外にも複数のレンズ群を備えている。また、撮影光学系はズーミング時及びフォーカシング時に鏡筒を繰り出さないインナーズーム、インナーフォーカスタイプの撮影光学系であり、前玉レンズＬＦが図示位置より前方に移動することはない。
【００１４】
カメラ本体部１１のボディ上面１１ｃには、ボディ後端面１１ｂに近い領域に、電源ボタン１３、モードダイヤル１４、再生ボタン１５、メニューボタン１６、多方向ボタン１７といった操作関連のボタンが設けられている。電源ボタン１３はデジタルカメラ１０のメインスイッチをオンオフさせるための操作部材、モードダイヤル１４は各種撮影モードを選択するための操作部材、再生ボタン１５は記録された画像を液晶表示部（液晶パネル、画像表示面）３２に表示（再生）させるための操作部材である。また、メニューボタン１６を操作すると各種の設定モードに入り、多方向ボタン１７を操作して機能を選択、設定することができる。多方向ボタン１７はまた、再生される画像の切り換えなどにも使用される。メニューボタン１６による設定項目は、記録画面サイズ、画質、ホワイトバランス、感度等であるが、これに限定されるものではない。多方向ボタン１７は複数方向へ操作可能なモーメンタリスイッチであり、例えば、直交する２軸方向（４方向）への押圧操作と該２軸の交点位置での押下操作が可能に構成されている。これらボタン類の前方には、ポップアップストロボ１８が配設されている。ポップアップストロボ１８は、その発光部をカメラ本体部１１の上方へ突出させるポップアップ状態と、該発光部をボディ上面１１ｃ内に収納させる収納状態とに切換可能であり、各図はポップアップストロボ１８の収納状態を示している。また、ボディ上面１１ｃとボディ右側面１１ｅの間の稜線部付近にはメモリカード蓋１９が設けられている。メモリカード蓋１９を開くと図示しないメモリカードスロットの開口部が露出し、画像データを記録するためのメモリカードをメモリカードスロットに挿脱させることが可能になる。
【００１５】
カメラ本体部１１のボディ左側面１１ｆには、ボディ上面１１ｃ上の各種ボタンと概ね同様の前後方向位置（すなわち、ボディ後端面１１ｂに近い領域）に、ストロボモードボタン２０、セルフ連写ボタン２１、フォーカスモードボタン２２が光軸方向へ略等間隔で配設されている。ストロボモードボタン２０は、ポップアップストロボ１８の発光部の制御に用いる操作部材であり、強制発光、発光停止、赤目防止発光モード等のストロボ関連のモードを切り替えることができる。セルフ連写ボタン２１は撮影時のドライブモードを選択するための操作部材であり、通常のドライブモード（シャッタレリーズ操作と同時に１枚だけ撮影する）に加えて、セルフタイマ撮影モード、オートブラケットモード等を選択することができる。フォーカスモードボタン２２は、フォーカスモードを選択するための操作部材であり、通常のオートフォーカスモードの他に、マクロ撮影モード、無限遠撮影モード、マニュアルフォーカスモード等を選択することができる。また、ボディ左側面１１ｆには、ストロボモードボタン２０の若干前方にスピーカー開口部２３が形成され、該スピーカー開口部２３の下方には外部コネクタカバー２４が設けられている。外部コネクタカバー２４はボディ左側面１１ｆに対して開閉（または着脱）可能になっている。
【００１６】
カメラ本体部１１のボディ後端面１１ｂ側には、ボディ後端面１１ｂとボディ上面１１ｃの間の稜線（境界）部に設けたヒンジ部２６を介して液晶モニタブロック（画像表示部）２５が支持されている。ヒンジ部２６は、カメラ本体部１１側において左右方向に離間させて設けた一対の支持アーム２７と、該一対の支持アーム２７に挟まれ液晶モニタブロック２５を支持する中間支持部２８と、中間支持部２８から左右方向に突出されて各支持アーム２７内の軸孔に回転可能に挿入された一対の軸ピン２９を備え、該軸ピン２９を介して支持アーム２７と中間支持部２８は相対回動可能になっている。軸ピン２９の軸線Ｘ１は光軸Ｏと直交するカメラの左右方向へ向いており、該軸線Ｘ１を中心として液晶モニタブロック２５は、光軸Ｏの後方延長上にあってボディ後端面１１ｂに隣接する収納位置（図４、図９）と、中間支持部２８と反対側の縁部をヒンジ部２６よりも高い位置に持ち上げる起立位置（図８）との間で回動することができる。収納位置では、液晶モニタブロック２５の液晶表示部３２は、光軸Ｏに対して略直交する平面内に位置される。また、図８に二点鎖線で示す位置が液晶モニタブロック２５の最大起立位置である。液晶モニタブロック２５における収納位置と最大起立位置の間の回動角は１８０度以上であることが好ましく、本実施形態では約２１０度に設定されている。
【００１７】
液晶モニタブロック２５はまた、中間支持部２８に対して、軸線Ｘ１と直交する軸線Ｘ２を中心として回動可能に支持されている。詳細には、液晶モニタブロック２５のフレーム部２５ａには、該軸線Ｘ２方向に向けて軸ピン３０が設けられ、中間支持部２８には該軸ピン３０が回転可能に挿入される軸孔が形成されている。したがって、カメラ本体部１１に対して液晶モニタブロック２５は、軸線Ｘ１を中心とする回動と、軸線Ｘ２を中心とする回動を行うことができる。なお、ヒンジ部２６における軸ピンと軸孔の関係は、以上の説明とは逆の関係にすることもできる。すなわち、支持アーム２７（カメラ本体部１１）と中間支持部２８の関係においては、支持アーム２７側に軸ピンを設け中間支持部２８側に軸孔を形成してもよいし、液晶モニタブロック２５と中間支持部２８の関係においては、中間支持部２８側に軸ピンを設け液晶モニタブロック２５側に軸孔を形成してもよい。
【００１８】
液晶モニタブロック２５のフレーム部２５ａは、矩形の液晶表示部３２を囲む４辺の縁部を有しており、図４及び図９のように液晶モニタブロック２５をボディ後端面１１ｂに隣接させた収納位置では、中間支持部２８に接する縁部を除く３辺の縁部がそれぞれボディ下面１１ｄ、ボディ右側面１１ｅ、ボディ左側面１１ｆと略面一になるようなサイズ及び形状となっている（図３ないし図９参照）。
【００１９】
液晶表示部３２がボディ後端面１１ｂに対向する図４の状態から軸線Ｘ１を中心として液晶モニタブロック２５を回動させて図８のように起立させると、液晶表示部３２が撮影者の方を向き、該液晶表示部３２をモニタとして使用（視認）することが可能になる。図８では液晶モニタブロック２５を約１８０度起こした状態と前述の最大起立位置を示しているが、ヒンジ部２６は、これ以外の任意の角度位置で液晶モニタブロック２５を停止させることができるようなフリクション（あるいはクリック）機構を備えている。
【００２０】
また、図１０に示すように、起立状態の液晶モニタブロック２５を軸線Ｘ２中心で回動させて液晶表示部３２を前方に向けることもできる。液晶表示部３２を前方に向けた状態は、撮影者が自らを被写体とする対面撮影に適している。また、この対面撮影状態のまま液晶モニタブロック２５を軸線Ｘ１中心で収納方向へ回動させ、液晶表示部３２がカメラ本体部１１のボディ上面１１ｃと概ね平行になる角度にすると、ウエストレベル撮影に適した状態になる。さらに、この状態から液晶モニタブロック２５を軸線Ｘ１中心でボディ後端面１１ｂに接近する方向に回動させると、図４とは逆に、液晶表示部３２がボディ後端面１１ｂに対向せずにカメラの後端部に露出する図９の状態となり、カメラ本体部１１から液晶モニタブロック２５を突出（起立）させなくても液晶表示部３２の視認が可能になる。なお、図８の状態と図９の状態では液晶表示部３２の表示画面上における天地方向が逆になるが、デジタルカメラ１０は、液晶モニタブロック２５の位置状態の変化を検知する検知手段と、該検知手段に基づいて液晶表示部３２に適切な状態（撮影者から見て上下方向の正しい）の画像を表示させる画像制御手段とを備えている。なお、デジタルカメラ１０の運搬時などでは、図４のように液晶表示部３２をボディ後端面１１ｂに対向させて該液晶表示部３２の保護を図ることが好ましい。
【００２１】
カメラ本体部１１のボディ右側面１１ｅ側には、把持用のグリップ４０が設けられている。グリップ４０はカメラ本体部１１と同様に細長の箱型（四角筒）形状をなしており、その外面は、長手方向に離間する両グリップ端面４０ａ、４０ｂと、該グリップ端面４０ａ及び４０ｂと略直交させて長手方向へ延出された４つの長手方向面４０ｃ、４０ｄ、４０ｅ、４０ｆを備えている。これらの各面のうち、両グリップ端面４０ａ、４０ｂのセット、長手方向面４０ｃ、４０ｄのセット、長手方向面４０ｅ、４０ｆのセットはそれぞれ略平行な関係にある。グリップ４０内にはデジタルカメラ１０の駆動電源であるバッテリ４２（図１）の収納室（電池収納室）が形成されており、該電池収納室を開閉可能な電池蓋４３がグリップ端面４０ａ側に該けられている。
【００２２】
グリップ４０は、カメラ本体部１１に対してグリップ回動軸４１を介して回動可能に支持されている。グリップ回動軸４１は、カメラ本体部１１とグリップ４０の互いの対向面であるボディ右側面１１ｅと長手方向面４０ｆを接続するように設けられており、その軸線Ｘ３はヒンジ部２６の軸ピン２９における軸線Ｘ１と略平行である。グリップ４０の長手方向におけるグリップ回動軸４１（軸線Ｘ３）の位置はグリップ端面４０ｂの近傍に偏心して設定されており、したがってグリップ４０は、図４ないし図７に示すように、グリップ端面４０ａ（電池蓋４３）側の端部が軸線Ｘ３を中心とする円弧状の軌跡を描くように回動される。
【００２３】
図４と図５はグリップ４０の回動端の一方（収納端）と他方（突出端）を示しており、いずれもグリップ４０の長手方向とカメラ本体部１１の長手方向（光軸方向）が略平行になっているが、グリップ端面４０ａ、４０ｂの向きが反転した関係にある。図４の収納端ではグリップ端面４０ａ（電池蓋４３）が前方を向いており、グリップ４０の外形は、カメラの前後方向及び上下方向においてボディ右側面１１ｅの輪郭内に収まっている。換言すれば、図４の状態では、グリップ４０の長手方向の全長がカメラ本体部１１の長手方向幅（光軸方向位置）内に収まり、かつグリップ４０の短手方向幅（長手方向面４０ｃ、４０ｄを結ぶ距離）がカメラ本体部１１の上下方向幅内に収まっており、グリップ４０はカメラ本体部１１に対して前後方向及び上下方向には突出しない。つまり、グリップ４０とカメラ本体部１１が概ね一続きの箱状体をなしており、持ち運びやすい収納状態となっている。また、グリップ４０が下方に突出しないので、カメラを安定して床や机上に載置することができ、このような載置状態での撮影にも適している。特にこの収納端では、グリップ４０の長手方向面４０ｄ（下面）がカメラ本体部１１のボディ下面１１ｄと略面一になっており（図３、図１１参照）、ボディ下面１１ｄを下方に向けてデジタルカメラ１０を載置した際の安定性が良くなっている。
【００２４】
撮影を行う際にはグリップ４０を図４の収納端から時計方向に回動させればよい。グリップ回動軸４１は、グリップ端面４０ａ（電池蓋４３）が後方を向く図５の突出端までの任意の角度でグリップ４０を停めることが可能なフリクション（あるいはクリック）機構を備えており、グリップ４０の角度位置を撮影者の好みで決めることができる。前述の通り、液晶モニタブロック２５は軸線Ｘ１及び軸線Ｘ２を中心にして角度調整可能であり、これと独立して軸線Ｘ３を中心にしてグリップ４０も角度調整可能とさせることにより、自由度の高い撮影姿勢を得ることができる。特に、液晶モニタブロック２５の回転中心（軸線Ｘ１）とグリップ４０の回転中心（軸線Ｘ３）を、カメラ左右方向に向けて平行にさせたことにより、ホールディング性やモニタの視認性を損なうことなく、カメラの高さ位置及びカメラの仰角（縦方向の角度）を自在に変えることが可能である。
【００２５】
グリップ回動軸４１はさらに、図１１及び図１２に示すように、カメラ本体部１１に対してグリップ４０を軸線Ｘ３に沿う方向（左右方向）に接離させることが可能に構成されている。この接離動作は、軸線Ｘ３を中心とした上記の回動とは独立して行わせることが可能であり、例えば、グリップ４０が図４の収納端にあるときに該グリップ４０をカメラ本体部１１に接近させると（図１１の状態）、カメラ本体部１１からのグリップ４０の突出量が最も少ないコンパクトな状態にすることができる。一方、グリップ４０を把持する撮影時等では、図１２のようにグリップ４０をスライドさせてカメラ本体部１１から所定量離間させることにより、グリップ４０を把持する手とカメラ本体部１１（特にボディ右側面１１ｅ）の干渉が回避されてホールディング性が向上する。図１２ではグリップ４０の長手方向がカメラ本体部１１の長手方向と略平行な状態を示しているが、この状態から軸線Ｘ１を中心としてグリップ４０を回動させて任意の角度に設定することができる。
【００２６】
前述のように、グリップ４０は、それぞれのセットが略平行をなす３対の平面部（両グリップ端面４０ａ、４０ｂと、長手方向面４０ｃ、４０ｄ、４０ｅ、４０ｆ）を外面に有する箱状体である。このグリップ４０において、グリップ回動軸４１に近い側のグリップ端面４０ｂ付近の外面にはさらに、該グリップ端面４０ｂと長手方向面４０ｃを接続する傾斜面４０ｇが形成され、またグリップ端面４０ｂのうち長手方向面４０ｃに接する稜線部が面取りされて弧状面４０ｈが形成されている。この傾斜面４０ｇ、グリップ端面４０ａ、４０ｂ（弧状面４０ｈ）、そして長手方向面４０ｃ、４０ｄは、グリップ回動軸４１の軸線Ｘ３と略平行でかつ該軸線Ｘ３を囲む囲繞面を構成している。傾斜面４０ｇは、グリップ４０の他の外面のいずれに対しても非平行な平面である。傾斜面４０ｇ上にはシャッタボタン（第１の操作部材、画像記録用の操作部材）４５が設けられ、該シャッタボタン４５を囲む環状のズーム操作レバー４６が設けられている。また、弧状面４０ｈはグリップ４０の外側に向けて正の曲率を持つ曲面であり、該弧状面４０ｈ上には録画ボタン（第２の操作部材、画像記録用の操作部材）４７が設けられている。シャッタボタン４５は静止画撮影用の操作部材であり、ボタンの半押しで測光や測距を行い、全押しでシャッタレリーズ（静止画の撮影）を行わせることができる。このときの撮影モード等は、前述した各操作部材によって適宜設定される。一方、録画ボタン４７は動画撮影用の操作部材であり、押圧されると動画の記録が開始され、押圧解除すると該記録が停止される。静止画と動画のいずれも、画像処理手段による処理を経て電子画像データとしてメモリカードに記録される。
【００２７】
傾斜面４０ｇは、図４に示すように長手方向面４０ｃ、４０ｄの中間を通るグリップ４０の長手方向線Ｓに関して、非平行かつ非直交となるように形成されている。この長手方向線Ｓに対する傾斜面４０ｇの傾斜角Ｋ１は、１５度から７５度の間、より好ましくは３０度から６０度の間であるとよい。そして、この傾斜面４０ｇ上に設けられたシャッタボタン４５は、グリップ４０のグリップ端面４０ａ（電池蓋４３）が斜め下後方を向く図６の角度位置でカメラの正面（前方）を向く。デジタルカメラ１０を撮影者のアイレベルまたはその近傍に保持する一般的な撮影姿勢では、この図６の角度位置を中心とした正逆の所定角度範囲内にグリップ４０が位置することが想定される。そして、人間の手の形状を考慮すると、グリップ４０が斜め下後方を向く状態においてシャッタボタン４５がカメラの略正面に向いていると、人差し指による押圧操作を行い易くなる。
【００２８】
また、録画ボタン４７は、傾斜面４０ｇと非直交関係にあって隣接するグリップ端面４０ｂ上に設けられているので、グリップ４０が図６の角度位置にあるとき録画ボタン４７はカメラの略上方に向き、シャッタボタン４５に人差し指をかけると録画ボタン４７は自然に親指の位置に対応する。ここで録画ボタン４７は、グリップ端面４０ｂにおいてもさらに凸状に面取りされた（正の曲率を有する）弧状面４０ｈ上に設けられており、図４に示すように、長手方向面４０ｃ、４０ｄの中間を通るグリップ４０の長手方向線Ｓに関して、シャッタボタン４５と概ね反対方向に傾けて突出されている。このように録画ボタン４７に傾斜をつけることで、撮影者の親指が録画ボタン４７に対してさらに自然に接触するようになり、操作性が一層向上する。長手方向線Ｓに対する録画ボタン４７の傾斜角Ｋ２は、シャッタボタン４５（傾斜面４０ｇ）の傾斜角Ｋ１と同程度であると好ましい。
【００２９】
したがって、グリップ４０が斜め下方を向く図６の角度位置、あるいはその前後の所定範囲の角度位置にあるとき、シャッタボタン４５はカメラの略前方を向き、かつ録画ボタン４７はカメラの略上方に向き、シャッタボタン４５に人差し指をかけると録画ボタン４７は自然に親指の位置に対応する。つまり、グリップ４０では、撮影状態での使用位置に回転させたときに押圧操作を行い易い位置にシャッタボタン４５と録画ボタン４７が設けられている。
【００３０】
なお、撮影状態でのグリップ４０の角度は図５や図６に限られない。例えば、カメラを頭上に差し上げた撮影姿勢では、図７のようにグリップ端面４０ａ（電池蓋４３）を略鉛直方向に向けた角度にグリップ４０を位置させることもある。この場合、撮影者の腕はグリップ４０の長手方向と概ね平行に延ばされるため、図６の場合と同様に人差し指と親指がそれぞれシャッタボタン４５と録画ボタン４７に自然にかかり、各ボタンの操作を無理なく行うことができる。
【００３１】
また、グリップ４０は、長手方向において一方の端部４０ｂ側に偏心した位置でグリップ回動軸４１に支持されている。これに対し、シャッタボタン４５と録画ボタン４７は、グリップ回動軸４１（軸線Ｘ３）を中心とする放射方向において該グリップ回動軸４１に比較的近い位置に偏心させて配置されているので、グリップ４０を回動させたときのカメラ本体部１１に対する位置変位が小さく、操作性が損なわれにくい。また、シャッタボタン４５と録画ボタン４７は、グリップ回動軸４１（軸線Ｘ３）を中心とする略同一円周面に位置しており、グリップ４０を回動させてもグリップ回動軸４１からのそれぞれの距離が変化しない。これによっても操作性が損なわれにくくなっている。
【００３２】
以上のように、シャッタボタン４５と録画ボタン４７は、グリップ４０のいずれの角度位置であっても操作しやすい配置になっている。
【００３３】
カメラ本体部１１のボディ下面１１ｄには下方に向けて開口された三脚ねじ穴４８が形成されている（図４参照）。液晶モニタブロック２５とグリップ４０はそれぞれボディ後端面１１ｂとボディ右側面１１ｅ側に支持されているため、該液晶モニタブロック２５とグリップ４０はそれぞれ回動を行ってもボディ下面１１ｄと重ならず、三脚ねじ穴４８が塞がれることがない。よって回動するタイプのグリップ４０や液晶モニタブロック２５を備えつつ、三脚を用いた撮影を支障なく行うことができる。また、前述の通り、グリップ４０を収納端に回転させれば、三脚なしでもカメラを安定して自立させることができる。つまり、本実施形態のデジタルカメラ１０は、手持ち以外の各種撮影形態にも対応している。
【００３４】
以上のような回動可能なグリップ４０を有するデジタルカメラ１０で手持ち撮影を行う場合、右手で該グリップ４０を把持し、左手でカメラ本体部１１を保持するのが一般的な撮影姿勢となる。このとき左手は、掌でボディ下面１１ｄを支え、親指をボディ左側面１１ｆに沿わせることになる。ここで左手との接触面積が最も広いボディ下面１１ｄには操作部材が設けられていないので、誤操作が生じるおそれがない。また、左手親指が沿うボディ左側面１１ｆには、ストロボモードボタン２０、セルフ連写ボタン２１、フォーカスモードボタン２２といった、撮影状態での使用頻度の高い画像記録設定用の操作部材が設けられており、撮影姿勢を崩さずに画像記録の設定を行うことができる。
【００３５】
また、記録した静止画像や動画を液晶表示部３２に再生するときは、主にカメラ本体部１１のボディ上面１１ｃに指がかかる使用姿勢が想定される。これに対応して、再生ボタン１５や多方向ボタン１７といった画像再生用の操作部材は、該ボディ上面１１ｃに設けられており、カメラ本体部１１を上記姿勢で把持したまま操作することが容易になっている。なお、画像再生時には、グリップ４０を収納端に位置させて、右手もカメラ本体部１１を保持するようにしてもよい。
【００３６】
図１３ないし図１６は、カメラ本体部１１内における電装系の配置を示している。カメラ本体部１１内には撮影光学系を支持する保持枠５０が設けられている。保持枠５０は光軸方向に軸線を向けた筒状体からなり、前端部に前玉レンズＬＦを支持する開口５０ａが形成され、後端部側にＣＣＤ基板５２を介してＣＣＤ５１が保持されている。なお、本実施形態では撮影光学系の位置を分かりやすくするために保持枠５０という一体形状部材を用いているが、撮影光学系の支持部材は、このような一体形状部材でなくてもよい。
【００３７】
ＣＣＤ５１は前玉レンズＬＦなどと共に撮影光学系を構成している。ＣＣＤ基板５２は、保持枠５０の後端部とボディ後端面１１ｂの間に位置しており、光軸Ｏと略直交する平面状に配されている。保持枠５０とボディ上面１１ｃの間には、ボディ上面１１ｃと略平行な平面状をなす第１スイッチ基板５３が配置されている。第１スイッチ基板５３には、電源ボタン１３、モードダイヤル１４、再生ボタン１５、メニューボタン１６、多方向ボタン１７の各接点が設けられている。保持枠５０とボディ左側面１１ｆの間には、ボディ左側面１１ｆと略平行な平面状をなす第２スイッチ基板５４が配置されている。第２スイッチ基板５４には、ストロボモードボタン２０、セルフ連写ボタン２１、フォーカスモードボタン２２の接点が設けられている。保持枠５０とボディ下面１１ｄの間には、ボディ下面１１ｄと略平行な平面状をなすジャック基板５５が配置されている。ジャック基板５５には、パソコンとの接続に用いるＰＣジャック５６、電源アダプタが接続されるアダプタジャック５７が設けられている。ＰＣジャック５６とアダプタジャック５７は、カメラ本体部１１のボディ左側面１ｆに面しており、外部コネクタカバー２４を開くことでデジタルカメラ１０の外面側に露出する。また、保持枠５０とボディ右側面１１ｅの間には、ボディ右側面１１ｅと略平行な平面状をなすメイン基板５８が配置されている。メイン基板５８にはデジタルカメラ１０全体の制御を司るマイコンや画像処理用の回路などが設けられており、第１スイッチ基板５３、第２スイッチ基板５４、ジャック基板５５に比べて光軸方向に長い部材となっている。ＣＣＤ基板５２と第１スイッチ基板５３はそれぞれＦＰＣ５９、６０を介してメイン基板５８に接続されている。第２スイッチ基板５４はＦＰＣ６１で第１スイッチ基板５３に接続されており、第１スイッチ基板５３経由でメイン基板５８に信号を送る。ジャック基板５５はコネクタ６２を介してメイン基板５８に接続されている。
【００３８】
図１３ないし図１６から分かるように、デジタルカメラ１０の撮影光学系（保持枠５０）は、ＣＣＤ基板５２、第１スイッチ基板５３、ジャック基板５５及びメイン基板５８からなる回路基板によって囲まれる空間に配置されている。より詳細には、本実施形態の撮影光学系はズーミング時及びフォーカシング時に鏡筒を繰り出さないタイプであって、カメラ本体１１から前方に突出することなく常にその内部に収まっている。そして、このカメラ本体１１の内側に、撮影光学系を囲むように上記各基板が配置されている。この回路配置により電装系のスペース効率が向上し、カメラの小型化やデザイン自由度の向上に寄与する。特に本実施形態はカメラ本体部１１が光軸方向に長い箱形（角筒）をなしており、その長手方向の内面に沿って第１スイッチ基板５３、第２スイッチ基板５４、ジャック基板５５、メイン基板５８を配することが有効である。
【００３９】
また、本実施形態ではカメラ本体部１１のボディ右側面１１ｅ側に回動可能なグリップ４０が配されている。グリップ４０のような可動部材を設けた側の面には、該可動部材に覆われたり干渉されたりすることを避けるため、カメラ外面に露出するスイッチ類や端子（ジャック）類は配置しないことが好ましい。そのため、スイッチ接点を備えた第１スイッチ基板５３、第２スイッチ基板５４や、端子を備えたジャック基板５５は、ボディ右側面１１ｅ以外のボディ上面１１ｃ、ボディ下面１１ｄ、ボディ左側面１１ｆの内面に沿って配置されている。そして、ボディ右側面１１ｅ側にスイッチ類や端子類が配置されない（できない）ことを逆に利用して、カメラ外面側との接続が不要なメイン基板５８をこのボディ右側面１１ｅの内面側に配置するようにしている。図１４や図１５から分かるように、ボディ右側面１１ｅの内面側スペースを全面的にメイン基板５８に割り振って、光軸方向において保持枠５０の全長にほぼ匹敵する形状のメイン基板５８を採用することが可能になっている。
【００４０】
また、グリップ４０と同様の可動部材である液晶モニタブロック２５を支持するボディ後端面１１ｂ側にもスイッチ類や端子類が設けられておらず、該ボディ後端面１１ｂの内面側には、メイン基板５８と同様にカメラ外面側との接続を考慮する必要のないＣＣＤ基板５２が配置されている。ボディ後端面１１ｂの内面側スペースは撮影光学系の最後端部に対向しているので、ＣＣＤ基板５２を当該スペースに配することがスペースや回路効率の面から最も好ましい。
【００４１】
以上の説明から分かるように、本実施形態のデジタルカメラ１０では、液晶モニタブロック２５とグリップ４０を個別に回動可能とすることにより、撮影姿勢の自由度が高くなり操作性が向上している。また、シャッタボタン４５と録画ボタン４７は、グリップ４０の回動位置によらずに（どの角度位置でも）操作しやすくなっている。
【００４２】
また実施形態のデジタルカメラ１０では、カメラ本体部１１内での回路配置やカメラ本体部１１外面における操作部材の配置に関しても前述の通り工夫がされており、カメラ本体部１１としての機能性も高い。
【００４３】
続いて図１７以下を参照してポップアップストロボ１８について説明する。図１７及び図１８は、外装部品を外した状態におけるカメラ本体部１１上半部の内部構造を示している。カメラ本体部１１内にはボディ部材３３が設けられ、該ボディ部材３３の上面側にストロボ収納部３３ａが形成されている（図１９ないし図２１参照）。ポップアップストロボ１８は、ストロボ収納部３３ａ内に収納可能な発光部ユニット３４と、該発光部ユニット３４を軸支しボディ部材３３上に進退可能に支持されたスライド部材３５を備えている。
【００４４】
ボディ部材３３には、カメラ本体部１１の前後方向（光軸Ｏと略平行な方向）を向く一様断面形状のスライドガイド軸６５が設けられている。図１９に示すように、スライドガイド軸６５の両端部はボディ部材３３に固定されており、該スライドガイド軸６５の下方には同様に両端部がボディ部材３３に固定されたサブガイド軸６６が設けられている。サブガイド軸６６はスライドガイド軸６５と平行である。スライドガイド軸６５とサブガイド軸６６に対してスライド部材３５が摺動可能に嵌まっており、この摺動関係によってスライド部材３５は、カメラ本体部１１の前後方向、すなわち被写体に接近する進出位置と離間する後退位置とに進退することができる。このスライド部材３５の進退移動端（進出位置と後退位置）は、ボディ部材３３に形成した前方壁３３ｂと第１後方壁３３ｃによって規制される。スライド部材３５はスライドガイド軸６５に沿って後方に長く突出されたスリーブ状部３５ａを有し、該スリーブ状部３５ａの後端部とボディ部材３３の第２後方壁３３ｄの間に設けた圧縮コイルばね（スライド部材付勢手段）６７によって、スライド部材３５が前方へ移動付勢されている。
【００４５】
発光部ユニット３４は、カメラ左右方向に離間する一対の支持アーム７０、７１を有し、支持アーム７０と支持アーム７１のそれぞれの一端部（基端部）に円形の軸孔が形成されている。この円形軸孔に対してポップアップ回動軸７２が相対回動可能に挿入されている。ポップアップ回動軸７２は、その軸線が光軸Ｏと略直交してカメラ左右方向に向くようにして、スライド部材３５に形成した軸孔に挿入支持されている。よって、ポップアップ回動軸７２の軸線を中心として、発光部ユニット３４（支持アーム７０、７１）は図２０に示す収納位置と図２１に示す突出位置との間で回動することができる。発光部ユニット３４は、ポップアップ付勢ばね（発光部付勢手段）７３によって突出位置方向へ付勢されている。ポップアップ付勢ばね７３はトーションばねであり、一端部が支持アーム７０に係合し他端部がスライド部材３５に係合している。
【００４６】
支持アーム７０と支持アーム７１の他端部（先端部）にはストロボ発光部７４が支持されている。ストロボ発光部７４は、支持アーム７０、７１に固定される（あるいは一体に形成される）ストロボボディ７５の前面にストロボレンズ７６を支持し、該ストロボレンズ７６の後方にキセノン管７７とリフレクタ７８を支持した構造となっている。ストロボボディ７５の両側部には一対のガイドフィン７９が突設されている。各ガイドフィン７９は、ストロボ照射方向に向く面が波形のローラガイド面（収納ガイド機構、ローラ当接面）８０として形成されている。詳細には、ローラガイド面８０は凹状の曲面部８０ａと凸状の曲面部８０ｂが連続する形状となっており、凸状曲面部８０ｂが発光部ユニット３４（支持アーム７０、７１）の先端側に位置し、凹状曲面部８０ａが発光部ユニット３４（支持アーム７０、７１）の基端側に位置する関係になっている。ローラガイド面８０の形状は、左右のガイドフィン７９で共通している。なお、説明の便宜上、凹状曲面部８０ａ、凸状曲面部８０ｂと分けているが、ローラガイド面８０の途中には段差がなく、連続する一つの面となっている。
【００４７】
ボディ部材３３には、発光部ユニット３４を回動させたときにローラガイド面８０の移動軌跡上に位置するガイドローラ（収納ガイド機構）８１が設けられている。ガイドローラ８１は、スライド部材３５が前方移動端に位置する状態（図２１）で発光部ユニット３４を収納方向に回動させたときに凹状曲面部８０ａと当接する位置に設置されている（図２２参照）。ガイドローラ８１は、ポップアップ回動軸７２と平行な回動軸によって回動することができ、該回動軸と同心の円筒状外周面を有している。
【００４８】
発光部ユニット３４とボディ部材３３はリンク機構によって接続されている。リンク機構は、一端部がリンク回動軸８２ａによってボディ部材３３に枢着された第１リンク８２と、該第１リンク８２に対して長手方向に接離移動可能な第２リンク８３とを備えている。第１リンク８２はその長手方向に向く一対の長孔８２ｂを備え、該長孔８２ｂに対して第２リンク８３のスライド突起８３ａが摺動可能に係合している。第２リンク８３はリンク回動軸８２ａと反対方向に向く一端部に別のスライド突起８３ｂを有し、該スライド突起８３ｂは、支持アーム７０の長手方向に向けて形成した長孔７０ａに対して摺動可能に係合している。この第１リンク８２と第２リンク８３からなるリンク機構は、ボディ部材３３に対する発光部ユニット３４の突出位置を決めるものである。すなわち、長孔８２ｂとスライド突起８３ａの摺接関係によってリンク機構の全長（リンク回動軸８２ａとスライド突起８３ｂの間隔）が変化し、図２１の角度位置でリンク機構が最長になった状態では、発光部ユニット３４のそれ以上の突出方向への回動が規制される。第１リンク８２と第２リンク８３は、リンク付勢ばね（発光部付勢手段）８４によって、発光部ユニット３４の突出方向に対応する方向（図２０及び図２１におけるリンク回動軸８２ａを中心とする反時計方向）へ向けて付勢されている。
【００４９】
支持アーム７０には係止孔（係止機構）８５が形成されている。係止孔８５は、支持アーム７０の側方に向けて開口された矩形の孔であり、支持アーム７０の長手方向においてストロボ発光部７４の近くに位置している。図２０に示すように、発光部ユニット３４の収納状態では、係止孔８５がポップアップ回動軸７２よりも前方に位置される。そして、この収納状態での係止孔８５に対して係脱可能なストッパ（係止機構）８６がボディ部材３３に設けられている。ストッパ８６は、ポップアップ回動軸７２と直交するカメラの上下方向に軸線を向けたストッパ回動軸８６ａを中心として回動可能であり、この正逆方向の回動に応じて係止孔８５に進入または離脱する係止アーム８６ｂを有する。係止アーム８６ｂは、ストッパ回動軸８６ａと略平行に上方に延出されてから先端部が図２０及び図２１の紙面奥側に向けて略直角に折り曲げられたＬ字状をなし、該係止アーム８６ｂの折曲先端部が係止孔８５に進入した状態では、該折曲先端部と係止孔８５の内面８５ａ（図２１）の係合関係によって、突出方向への発光部ユニット３４の回動が規制される。また、係止アーム８６ｂの折曲先端部と係止孔８５の係合状態では、該折曲先端部と係止孔８５の別の内面８５ｂ（図２１）の係合関係によって、光軸方向前方への発光部ユニット３４の移動が規制される。すなわち、ストッパ８６の係止アーム８６ｂが係止孔８５に係合した状態では、ストロボ発光部７４は突出位置への回動が規制され、かつスライド部材３５と共に行う前方への移動も規制される。ボディ部材３３には、この係止孔８５との係合位置にストッパ８６を付勢するストッパ付勢ばね８７が設けられている。カメラ本体部１１の外面にはポップアップ操作ボタン８８（図１７）が設けられており、ポップアップ操作ボタン８８を押圧操作すると、ストッパ付勢ばね８７に抗して係止孔８５との係合解除方向（図２０及び図２１の紙面手前側）にストッパ８６を回動させることができる。
【００５０】
ストッパ８６は、ボディ部材３３との間に設けるワッシャ８６ｃ（図２０、図２１）によってストッパ回動軸８６ａの軸線方向への位置を調整することが可能である。この位置調整により、係止アーム８６ｂの折曲先端部の高さを変えて発光部ユニット３４を確実に収納位置に位置させることができる。なお、図２０及び図２１ではストッパ８６の軸部の上側にワッシャ８６ｃを配しているが、軸部の下側に設けることも可能である。
【００５１】
以上の構造のポップアップストロボ１８の動作を説明する。図１９及び図２０はポップアップストロボ１８の収納状態を示している。支持アーム７０及び支持アーム７１の長手方向がスライドガイド軸６５及びサブガイド軸６６の軸線方向と略平行となっており、発光部ユニット３４はその全体がボディ部材３３のストロボ収納部３３ａ内に収納されている。このとき発光部ユニット３４は、ストロボレンズ７６をストロボ収納部３３ａの底面側に向けており、ローラガイド面８０のうち凸状曲面部８０ｂの終端部付近がガイドローラ８１に当接している。また、第１リンク８２と第２リンク８３からなるリンク機構はその長さを最大にしており、スライド突起８３ｂは長孔７０ａにおいてポップアップ回動軸７２から遠い側の端部に当接している。発光部ユニット３４に対してはポップアップ付勢ばね７３とリンク付勢ばね８４により突出方向の付勢力が作用しているが、係止孔８５とストッパ８６の係合によって突出方向への回動が規制される。
【００５２】
図１９に示すように、収納状態では、スライド部材３５は第１後方壁３３ｃによって規制される後方移動端付近（後退位置）に位置している。スライド部材３５には圧縮コイルばね６７によって前方への付勢力が作用しているが、ポップアップ回動軸７２を介して該スライド部材３５と結合された発光部ユニット３４の前方への移動が係止孔８５とストッパ８６の係合によって規制されているため、スライド部材３５は圧縮コイルばね６７の付勢力に抗して図２０の位置に留まる。
【００５３】
ポップアップ操作ボタン８８を押圧して係止孔８５とストッパ８６の係合を解除させると、発光部ユニット３４の突出方向への回動と、スライド部材３５の前方への移動の両方が許されるため、収納状態でチャージされていた各ばねの付勢力によって図２１のポップアップ状態になる。スライド部材３５は、圧縮コイルばね６７の付勢力によって前方壁３３ｂに当接する前方移動端（進出位置）まで移動される。発光部ユニット３４はスライド部材３５と共に前方に移動しつつ、ポップアップ付勢ばね７３とリンク付勢ばね８４の付勢力によって、ポップアップ回動軸７２を中心としてストロボ発光部７４を突出させる方向への回動を始める。このとき発光部ユニット３４を支持するリンク機構においては、突出方向の回動の途中までは、長孔８２ｂ内でスライド突起８３ａを摺動させて両端部（リンク回動軸８２ａとスライド突起８３ｂ）間の長さを短くしつつ、スライド突起８３ｂを長孔７０ａ内の他端部（ポップアップ回動軸７２に近い側の端部）に接近させる。そして、中間地点を過ぎると伸縮関係が反転されて、リンク機構は両端部（リンク回動軸８２ａとスライド突起８３ｂ）の間隔を再び離間させると共に、スライド突起８３ｂを長孔７０ａ内でポップアップ回動軸７２から遠い側の端部に移動させる。そして、前述の通り、図２１の位置まで発光部ユニット３４が回動すると、リンク機構の長さが最大になって該発光部ユニット３４のそれ以上の回動を規制する。
【００５４】
以上のように、発光部ユニット３４のポップアップ時にスライド部材３５と共に前進させることによって、定位置で回動させる場合に比してストロボ発光部７４が被写体に近くなるので、カメラの他の部位によるストロボ光のケラレの発生を効果的に防ぐことができる。
【００５５】
ポップアップストロボ１８をポップアップ状態から収納位置に戻すときには、以上とは逆の動作が行われる。重複を避けるために詳細な説明は省略するが、発光部ユニット３４の収納方向の回動と、該発光部ユニット３４及びスライド部材３５の後方へのスライドとが行われる。但し、ポップアップ動作はばね付勢力によって自動的に行われるのに対し、収納動作は手動によって行うので、本ポップアップストロボ１８では、収納方向の回動と後方へのスライドという２つの異方向成分を含む収納動作における操作性が考慮されている。図２１の状態から発光部ユニット３４を収納方向（反時計方向）に押し込んでいくと、左右の支持アーム７０、７１が水平になるよりも前のタイミング（角度位置）で、図２２に示すようにローラガイド面８０の凹状曲面部８０ａがガイドローラ８１に当接する。より詳細には、凹状曲面部８０ａのうち、凸状曲面部８０ｂ側と反対側の端部付近にガイドローラ８１が当接する。そして、このときのガイドローラ８１に対する凹状曲面部８０ａの当接角度（ポップアップ回動軸７２を中心とする発光部ユニット３４の角度位置）と、当該当接領域における凹状曲面部８０ａ自身の形状（曲率、傾斜角）との関係によって、発光部ユニット３４に対して図２２中の下方への押圧力を加えると後方への移動分力が生じる。この後方分力によって、発光部ユニット３４を収納方向に回動させている動作状態から後方にも移動させる動作状態へとスムーズに移行させることができる。つまり、操作者に対して、ストロボを閉じてからスライドさせるという２段階の操作体系を意識させずに、収納方向への一連の動作として認識させることができるので、操作性に優れている。特に、ローラガイド面８０とガイドローラ８１を当接させる箇所を、発光部ユニット３４においてポップアップ回動軸７２から最も遠い先端側に設定したので、後方移動分力がより効果的に生じるようになっている。また、ボディ部材３３側の当接部を回転部材であるガイドローラ８１としたので、より一層円滑な操作感が得られる。
【００５６】
図２２の状態からさらに収納方向への動作を続けると、ガイドローラ８１に対するローラガイド面８０側の当接位置は凹状曲面部８０ａから凸状曲面部８０ｂへと変位する。凸状曲面部８０ｂは、図２０の収納位置の直前でその最突出部をガイドローラ８１に当接させ、それ以降はガイドローラ８１との関係によって発光部ユニット３４を下方（ボディ部材３３に接近する方向）に呼び込むように傾斜しているので、収納動作の最終段階で発光部ユニット３４を軽い力で確実に収納位置まで移動させることができる。また、図２０から分かるように、収納状態で発光部ユニット３４に前方への移動力を与えたときには、凹状曲面部８０ａの傾斜は逆に発光部ユニット３４の上方への移動を促すように作用するので、ローラガイド面８０及びガイドローラ８１はポップアップ時における発光部ユニット３４の突出動作のアシストとしても機能する。
【００５７】
以上のように、本実施形態のポップアップストロボ１８では、ポップアップ状態においてストロボ光のケラレが生じにくく良好な光学性能が得られる。また、収納動作時における操作性も優れている。
【００５８】
ポップアップストロボ１８はさらに、ポップアップ動作時の発光部ユニット３４の移動速度を調整する変速機構を備えている。図１８、図２３及び図２４に示すように、ポップアップ回動軸７２は、支持アーム７１側に突出する端部に軸ギヤ７２ａを備えている。軸ギヤ７２ａは、支持アーム７１の側面に設けた減速ギヤ列９０の第１ギヤ９０ａに噛合している。減速ギヤ列９０は、順に噛合する第１ギヤ９０ａ、第２ギヤ９０ｂ、第３ギヤ９０ｃ、第４ギヤ９０ｄにより構成され、最終の第４ギヤ９０ｄがカムギヤ９１に噛合している。減速ギヤ列９０の各ギヤとカムギヤ９１のギヤ回動軸９０ｘ１、９０ｘ２、９０ｘ３、９０ｘ４及び９１ｘはポップアップ回動軸７２の軸線と平行であり、ギヤ回動軸９０ｘ１ないし９１ｘは、支持アーム７１の長手方向へ向く一直線上に所定の間隔で設けられている。カムギヤ９１のギヤ回動軸９１ｘの延長上には三角状断面のカム９２が設けられており、該カム９２の周面に対向する位置に板ばね９３の自由端部９３ａが設けられている。板ばね９３はＳ字に湾曲されており、自由端部の反対側の固定端部９３ｂは支持アーム７１に固定されている。
【００５９】
前述の通り、軸ギヤ７２ａを有するポップアップ回動軸７２はスライド部材３５に支持されているため、該スライド部材３５に対して発光部ユニット３４が回動すると、軸ギヤ７２ａとの噛合関係によって第１ギヤ９０ａが回転する。第１ギヤ９０ａの回転は第２ギヤ９０ｂ、第３ギヤ９０ｃ、第４ギヤ９０ｄを介して伝達されてカムギヤ９１を回動させる。カムギヤ９１が回転すると同軸上に設けたカム９２も回転し、板ばね９３との位置関係が変化する。図２４（Ａ）は発光部ユニット３４の収納状態を表しており、板ばね９３の自由端部９３ａは三角状のカム９２の直線状部９２ａに沿って対向している。この収納位置から発光部ユニット３４が突出方向へ回動すると、減速ギヤ列９０の各ギヤを介してカムギヤ９１及びカム９２が図２４中の反時計方向へ回動する。すると、カム９２において直線状部９２ａに隣接する頂点部９２ｂが、板ばね９３の自由端部９３ａに当接する。ギヤ回動軸９１ｘの軸線と頂点部９２ｂを結ぶ距離は、直線状部９２ａとギヤ回動軸９１ｘの軸線を結ぶ距離（ギヤ回動軸９１ｘの軸線を通りかつ直線状部９２ａと直交する垂線上における間隔）よりも大きいので、頂点部９２ｂは、自由端部９３ａを固定端部９３ｂから離間させる方向に押し上げて板ばね９３を弾性変形させる。この際の板ばね９３の抵抗によってカムギヤ９１の回転が減速され、該減速状態が第４ギヤ９０ｄ、第３ギヤ９０ｃ、第２ギヤ９０ｂを介して第１ギヤ９０ａに伝達されて、発光部ユニット３４の突出方向への移動が減速される。図２４（Ｂ）は発光部ユニット３４の収納位置と突出位置の中間の角度を示しており、この状態で自由端部９３ａに対するカム９２（頂点部９２ｂ）の押圧量が最大となり、その結果、板ばね９３の抵抗が最大となっている。
【００６０】
発光部ユニット３４が図２４（Ｂ）の状態を過ぎて突出方向に回動すると、板ばね９３の自由端部９３ａから頂点部９２ｂが徐々に退避してゆき、図２４（Ｂ）の状態で最大にチャージ（弾性変形）されていた板ばね９３は、自由端部９３ａを固定端部９３ｂに接近させる方向へ復元する。このばね復元力は、カムギヤ９１の回転トルクを増やす補助力として作用する。つまり、板ばね９３は、発光部ユニット３４への減速作用を解消し、逆に発光部ユニット３４の突出をアシストするようになる。板ばね９３によるアシスト作用は発光部ユニット３４が突出位置に達する直前まで続く。図２４（Ｃ）は、発光部ユニット３４が突出位置まで回動した状態を示しており、カム９２において頂点部９２ｂに続く直線状部９２ｃが板ばね９３の自由端部９３ａに対向しているが、直線状部９２ｃと自由端部９３ａはわずかに離間している。つまり、図２４（Ｃ）の状態では、板ばね９３の復元が完了しており、カムギヤ９１に対して板ばね９３からの力は作用していない。
【００６１】
このように、本実施形態のポップアップストロボ１８では、発光部ユニット３４のポップアップ動作の初期には移動速度を減速させ、突出位置に近くなると該減速を解除して突出方向の補助力を与える変速機構が設けられている。発光部ユニット３４をポップアップ方向に付勢するポップアップ付勢ばね７３やリンク付勢ばね８４は、発光部ユニット３４の収納状態でチャージ量（撓み量）が最大であり、発光部ユニット３４が突出位置に近付くにつれてその復元力が徐々に減衰していく。一方、ばね力によって突出位置を保持させるポップアップストロボでは一般に、突出位置に至るまで偏りなく確実に突出方向の力を及ぼしたいという要求がある。そこで、以上の変速機構が有効となる。ポップアップ付勢ばね７３やリンク付勢ばね８４のチャージ量が最大である収納位置寄りの領域では、当該変速機構によって減速方向の力が働き、ポップアップ付勢ばね７３による突出方向の力が小さくなる突出位置寄りの領域では、当該変速機構の作用で突出動作がアシストされるため、突出位置に至るまで発光部ユニット３４をスムーズかつ確実に動作させることができる。
【００６２】
なお、図中では板ばね９３を一つのみ図示しているが、板ばねを複数設けてもよい。板ばねの数を変えることで、変速機構による上記効果の程度を変化させることができる。
【００６３】
以上、図示実施形態を参照して本発明を説明したが、本発明は図示実施形態に限定されるものではない。例えば、実施形態のカメラはグリップ４０と液晶モニタブロック２５がカメラ本体部１１に対して回動するが、このような回動部を有していないカメラにも本発明は適用可能である。また、実施形態のようなデジタルカメラでなく、銀塩フィルムカメラにも適用が可能である。
【００６４】
また、実施形態のローラガイド面は波形の曲面形状であるが、適切な分力を発生させることができるのであれば、曲面に限らず直線状の当接面を用いることもできる。
【図面の簡単な説明】
【００６５】
【図１】本発明を適用したデジタルカメラの一実施形態を示す前方斜視図である。
【図２】同デジタルカメラを図１と異なる方向から見た前方斜視図である。
【図３】同デジタルカメラの背面図である。
【図４】同デジタルカメラをグリップ側から見た側面図である。
【図５】同デジタルカメラにおいてグリップを回動させた状態を示す側面図である。
【図６】同デジタルカメラにおいてグリップの異なる角度位置を示す側面図である。
【図７】同デジタルカメラにおいてグリップのさらに異なる角度位置を示す側面図である。
【図８】同デジタルカメラにおける液晶モニタブロックの起立状態を示す側面図である。
【図９】同デジタルカメラにおいて、液晶モニタブロックを図４とは反転させた状態を示す側面図である。
【図１０】同デジタルカメラにおける液晶モニタブロックの起立状態を示す前方斜視図である。
【図１１】同デジタルカメラにおいて、カメラ本体部に対してグリップが近接した状態の正面図である。
【図１２】同デジタルカメラにおいて、カメラ本体部に対してグリップが離間した状態の正面図である。
【図１３】同デジタルカメラの内部の回路構成の概略を示す正面図である。
【図１４】同回路構成の概略を示す平面図である。
【図１５】同回路構成の概略を示す側面図である。
【図１６】同回路構成の概略を示す、図１５とは反対側からみた側面図である。
【図１７】カメラ本体上面側の外装を外してポップアップストロボを示した前方斜視図である。
【図１８】図１７と異なる方向から見た前方斜視図である。
【図１９】ポップアップストロボの収納状態の縦断面図である。
【図２０】同ポップアップストロボの収納状態の側面図である。
【図２１】同ポップアップストロボのポップアップ状態（突出状態）の側面図である。
【図２２】同ポップアップストロボをポップアップ状態から収納方向に回転させたときのローラガイド面とガイドローラの当接関係を示す側面図である。
【図２３】同ポップアップストロボの他方の側面における変速機構を示す側面図である。
【図２４】同変速機構の作動状態を説明するための側面図である。
【符号の説明】
【００６６】
Ｋ１  シャッタボタン（傾斜面）の傾斜角
Ｋ２  録画ボタンの傾斜角
ＬＦ  前玉レンズ
Ｏ  光軸
Ｓ  グリップの長手方向線
Ｘ１  Ｘ２  Ｘ３  軸線
１０  デジタルカメラ
１１  １１１  カメラ本体部
１１ａ  ボディ前端面
１１ｂ  １１１ｂ  ボディ後端面
１１ｃ  ボディ上面
１１ｄ  ボディ下面
１１ｅ  ボディ右側面
１１ｆ  ボディ左側面
１２  フィルタねじ
１３  電源ボタン
１４  モードダイヤル
１５  再生ボタン
１６  メニューボタン
１７  多方向ボタン
１８  ポップアップストロボ
１９  メモリカード蓋
２０  ストロボモードボタン
２１  セルフ連写ボタン
２２  フォーカスモードボタン
２３  スピーカー開口部
２４  外部コネクタカバー
２５  １２５  液晶モニタブロック
２５ａ  １２５ａ  フレーム部
２６  １２６  ヒンジ部
２７  １２７  支持アーム
２８  １２８  中間支持部
２９  軸ピン
３０  軸ピン
３２  液晶表示部
３３  ボディ部材
３３ａ  ストロボ収納部
３３ｂ  前方壁
３３ｃ  第１後方壁
３３ｄ  第２後方壁
３４  発光部ユニット
３５  スライド部材
３５ａ  スリーブ状部
４０  １４０  グリップ
４０ａ  ４０ｂ  １４０ａ  グリップ端面
４０ｃ  ４０ｄ  ４０ｅ  ４０ｆ  長手方向面
４０ｇ  傾斜面
４０ｈ  弧状面
４１  グリップ回動軸
４２  バッテリ
４３  電池蓋
４５  １４５  シャッタボタン
４６  ズーム操作レバー
４７  録画ボタン
４８  三脚ねじ穴
５０  撮影光学系の保持枠
５０ａ  開口
５１  ＣＣＤ
５２  ＣＣＤ基板
５３  第１スイッチ基板
５４  第２スイッチ基板
５５  ジャック基板
５６  ＰＣジャック
５７  アダプタジャック
５８  メイン基板
５９  ６０  ６１  ＦＰＣ
６５  スライドガイド軸
６６  サブガイド軸
６７  圧縮コイルばね（スライド部材付勢手段）
７０  ７１  支持アーム
７０ａ  長孔
７２  ポップアップ回動軸
７２ａ  軸ギヤ
７３  ポップアップ付勢ばね（発光部付勢手段）
７４  ストロボ発光部
７５  ストロボボディ
７６  ストロボレンズ
７７  キセノン管
７８  リフレクタ
７９  ガイドフィン
８０  ローラガイド面（収納ガイド機構、ローラ当接面）
８０ａ  凹状曲面部
８０ｂ  凸状曲面部
８１  ガイドローラ（収納ガイド機構）
８２  第１リンク
８２ａ  リンク回動軸
８２ｂ  長孔
８３  第２リンク
８３ａ  ８３ｂ  スライド突起
８４  リンク付勢ばね（発光部付勢手段）
８５  係止孔（係止機構）
８５ａ  ８５ｂ  係止孔の内面
８６  ストッパ（係止機構）
８６ａ  ストッパ回動軸
８６ｂ  係止アーム
８７  ストッパ付勢ばね
８８  ポップアップ操作ボタン
９０  減速ギヤ列
９０ａ  第１ギヤ
９０ｂ  第２ギヤ
９０ｃ  第３ギヤ
９０ｄ  第４ギヤ
９０ｘ１  ９０ｘ２  ９０ｘ３  ９０ｘ４  ギヤ回動軸
９１  カムギヤ
９１ｘ  ギヤ回動軸
９２  カム
９２ａ  ９２ｃ  直線状部
９２ｂ  頂点部
９３  板ばね
９３ａ  自由端部
９３ｂ  固定端部
【図１】
2005227386.tif 000003
【図２】
2005227386.tif 000004
【図３】
2005227386.tif 000005
【図４】
2005227386.tif 000006
【図５】
2005227386.tif 000007
【図６】
2005227386.tif 000008
【図７】
2005227386.tif 000009
【図８】
2005227386.tif 000010
【図９】
2005227386.tif 000011
【図１０】
2005227386.tif 000012
【図１１】
2005227386.tif 000013
【図１２】
2005227386.tif 000014
【図１３】
2005227386.tif 000015
【図１４】
2005227386.tif 000016
【図１５】
2005227386.tif 000017
【図１６】
2005227386.tif 000018
【図１７】
2005227386.tif 000019
【図１８】
2005227386.tif 000020
【図１９】
2005227386.tif 000021
【図２０】
2005227386.tif 000022
【図２１】
2005227386.tif 000023
【図２２】
2005227386.tif 000024
【図２３】
2005227386.tif 000025
【図２４】
2005227386.tif 000026
【手続補正書】
【提出日】平成17年3月3日(2005.3.3)
【手続補正１】
【補正対象書類名】明細書
【補正対象項目名】００２５
【補正方法】変更
【補正の内容】
【００２５】
グリップ回動軸４１はさらに、図１１及び図１２に示すように、カメラ本体部１１に対してグリップ４０を軸線Ｘ３に沿う方向（左右方向）に接離させることが可能に構成されている。この接離動作は、軸線Ｘ３を中心とした上記の回動とは独立して行わせることが可能であり、例えば、グリップ４０が図４の収納端にあるときに該グリップ４０をカメラ本体部１１に接近させると（図１１の状態）、カメラ本体部１１からのグリップ４０の突出量が最も少ないコンパクトな状態にすることができる。一方、グリップ４０を把持する撮影時等では、図１２のようにグリップ４０をスライドさせてカメラ本体部１１から所定量離間させることにより、グリップ４０を把持する手とカメラ本体部１１（特にボディ右側面１１ｅ）の干渉が回避されてホールディング性が向上する。図１２ではグリップ４０の長手方向がカメラ本体部１１の長手方向と略平行な状態を示しているが、この状態から軸線Ｘ３を中心としてグリップ４０を回動させて任意の角度に設定することができる。
【手続補正２】
【補正対象書類名】明細書
【補正対象項目名】００２６
【補正方法】変更
【補正の内容】
【００２６】
前述のように、グリップ４０は、それぞれのセットが略平行をなす３対の平面部（両グリップ端面４０ａ、４０ｂと、長手方向面４０ｃ、４０ｄ、４０ｅ、４０ｆ）を外面に有する箱状体である。このグリップ４０において、グリップ回動軸４１に近い側のグリップ端面４０ｂ付近の外面にはさらに、該グリップ端面４０ｂと長手方向面４０ｃを接続する傾斜面４０ｇが形成され、またグリップ端面４０ｂのうち長手方向面４０ｄに接する稜線部が面取りされて弧状面４０ｈが形成されている。この傾斜面４０ｇ、グリップ端面４０ａ、４０ｂ（弧状面４０ｈ）、そして長手方向面４０ｃ、４０ｄは、グリップ回動軸４１の軸線Ｘ３と略平行でかつ該軸線Ｘ３を囲む囲繞面を構成している。傾斜面４０ｇは、グリップ４０の他の外面のいずれに対しても非平行な平面である。傾斜面４０ｇ上にはシャッタボタン（第１の操作部材、画像記録用の操作部材）４５が設けられ、該シャッタボタン４５を囲む環状のズーム操作レバー４６が設けられている。また、弧状面４０ｈはグリップ４０の外側に向けて正の曲率を持つ曲面であり、該弧状面４０ｈ上には録画ボタン（第２の操作部材、画像記録用の操作部材）４７が設けられている。シャッタボタン４５は静止画撮影用の操作部材であり、ボタンの半押しで測光や測距を行い、全押しでシャッタレリーズ（静止画の撮影）を行わせることができる。このときの撮影モード等は、前述した各操作部材によって適宜設定される。一方、録画ボタン４７は動画撮影用の操作部材であり、押圧されると動画の記録が開始され、押圧解除すると該記録が停止される。静止画と動画のいずれも、画像処理手段による処理を経て電子画像データとしてメモリカードに記録される。
【手続補正３】
【補正対象書類名】明細書
【補正対象項目名】００３７
【補正方法】変更
【補正の内容】
【００３７】
ＣＣＤ５１は前玉レンズＬＦなどと共に撮影光学系を構成している。ＣＣＤ基板５２は、保持枠５０の後端部とボディ後端面１１ｂの間に位置しており、光軸Ｏと略直交する平面状に配されている。保持枠５０とボディ上面１１ｃの間には、ボディ上面１１ｃと略平行な平面状をなす第１スイッチ基板５３が配置されている。第１スイッチ基板５３には、電源ボタン１３、モードダイヤル１４、再生ボタン１５、メニューボタン１６、多方向ボタン１７の各接点が設けられている。保持枠５０とボディ左側面１１ｆの間には、ボディ左側面１１ｆと略平行な平面状をなす第２スイッチ基板５４が配置されている。第２スイッチ基板５４には、ストロボモードボタン２０、セルフ連写ボタン２１、フォーカスモードボタン２２の接点が設けられている。保持枠５０とボディ下面１１ｄの間には、ボディ
下面１１ｄと略平行な平面状をなすジャック基板５５が配置されている。ジャック基板５５には、パソコンとの接続に用いるＰＣジャック５６、電源アダプタが接続されるアダプタジャック５７が設けられている。ＰＣジャック５６とアダプタジャック５７は、カメラ本体部１１のボディ左側面１１ｆに面しており、外部コネクタカバー２４を開くことでデジタルカメラ１０の外面側に露出する。また、保持枠５０とボディ右側面１１ｅの間には、ボディ右側面１１ｅと略平行な平面状をなすメイン基板５８が配置されている。メイン基板５８にはデジタルカメラ１０全体の制御を司るマイコンや画像処理用の回路などが設けられており、第１スイッチ基板５３、第２スイッチ基板５４、ジャック基板５５に比べて光軸方向に長い部材となっている。ＣＣＤ基板５２と第１スイッチ基板５３はそれぞれＦＰＣ５９、６０を介してメイン基板５８に接続されている。第２スイッチ基板５４はＦＰＣ６１で第１スイッチ基板５３に接続されており、第１スイッチ基板５３経由でメイン基板５８に信号を送る。ジャック基板５５はコネクタ６２を介してメイン基板５８に接続されている。